(57)【特許請求の範囲】
【請求項１】
一端に冷媒の入出口が設けられている筒状本体を備え、前記冷媒を貯留しながら該冷媒中の水分を除去するレシーバドライヤであって、
前記筒状本体内には乾燥剤を内包するバッグが封入されており、
前記バッグには、前記入出口側の端部に蛍光剤を区画収容する収容室を形成してあり、
前記バッグの前記筒状本体への組込み前の段階で、前記収容室内の前記蛍光剤の存在を触覚にて確認可能としたことを特徴とするレシーバドライヤ。
【請求項２】
一端に冷媒の入出口が設けられている筒状本体を備え、前記冷媒を貯留しながら該冷媒中の水分を除去するレシーバドライヤであって、
前記筒状本体内には乾燥剤を内包するバッグが封入されており、
前記バッグには、前記入出口側の端部に前記バッグと異なる色の蛍光剤を含浸させてなる着色部を設けてあり、
前記バッグの前記筒状本体への組込み前の段階で、前記着色部により前記蛍光剤の存在を目視にて確認可能としたことを特徴とするレシーバドライヤ。
【発明の詳細な説明】
【技術分野】
【０００１】
本発明は、自動車用の空調機器等に使用される冷媒を貯留しながら、冷媒中の水分を除去するために用いられるレシーバドライヤに関する。
【背景技術】
【０００２】
上記レシーバドライヤとして、特許文献１には、図３に示すように、筒状の本体３２と、本体３２の下端に装着され、冷媒入口穴３３ａ及び冷媒出口穴３３ｂを有するヘッダ３３と、冷媒出口穴３３ｂを覆うストレーナ３６とを備えるレシーバドライヤ３１が記載されている。この構成により、冷媒入口穴３３ａから本体３２内に流入した冷媒中の水分をバッグ３４に収容した乾燥剤３５によって吸収すると共に、ストレーナ３６によって異物を除去する。
【０００３】
一方、車両等に装備された空調機器等の冷媒漏れを検知し易くするため、冷媒配管内に蛍光剤を注入し、蛍光剤を冷媒と共に配管内で循環させ、冷媒が漏洩した際に、同時に漏洩した蛍光剤を目視することで冷媒の漏洩を検知することが行われている。ここで、レシーバドライヤのバッグに乾燥剤と共に蛍光剤を収容し、冷媒がレシーバドライヤを通過した際に、蛍光剤が冷媒に同伴して冷媒配管内を循環するように構成されている。
【先行技術文献】
【特許文献】
【０００４】
【特許文献１】特開２０１０−１４４９３５号公報
【発明の概要】
【発明が解決しようとする課題】
【０００５】
しかし、車両の省スペース化に伴い、レシーバドライヤの細形化も進められ、蛍光剤がレシーバドライヤの上部に組み込まれているような場合には、蛍光剤が液冷媒に浸らず、冷媒に混合されない結果、冷媒の漏洩を検知できないという問題があった。また、蛍光剤をバッグ３４に収容し忘れた場合には、当然に冷媒の漏洩を検知することができない。
【０００６】
そこで、本発明は、上記従来のレシーバドライヤにおける問題点に鑑みてなされたものであって、蛍光剤を液冷媒に確実に浸すことができ、冷媒の漏洩検知に関する信頼性を高めることができると共に、バッグへの蛍光剤の収容忘れを防止することのできるレシーバドライヤを提供することを目的とする。
【課題を解決するための手段】
【０００７】
上記目的を達成するため、本発明は、一端に冷媒の入出口が設けられている筒状本体を備え、前記冷媒を貯留しながら該冷媒中の水分を除去するレシーバドライヤであって、前記筒状本体内には乾燥剤を内包するバッグが封入されており、前記バッグには、前記入出口側の端部に蛍光剤を区画収容する収容室を形成してあり、前記バッグの前記筒状本体への組込み前の段階で、前記収容室内の前記蛍光剤の存在を触覚にて確認可能としたことを特徴とする。
【０００８】
そして、本発明によれば、バッグにおける冷媒の入出口側の端部に蛍光剤を設けたため、蛍光剤を液冷媒に確実に接触させることができ、冷媒の漏洩検知に関する信頼性を高めることができる。また、バッグに、その存在を外部から確認可能に蛍光剤を設けたため、蛍光剤の入れ忘れを防止することができる。
【０００９】
また、バッグに収容室を設けることで、蛍光剤の収容位置が明確となって、レシーバドライヤに容易に組み付けることができると共に、蛍光剤の収容後は、バッグの上からその部分を手で触れると蛍光剤の存在を確認することができるため、蛍光剤の入れ忘れを防止することができる。
【００１０】
また、本発明は、一端に冷媒の入出口が設けられている筒状本体を備え、前記冷媒を貯留しながら該冷媒中の水分を除去するレシーバドライヤであって、前記筒状本体内には乾燥剤を内包するバッグが封入されており、前記バッグには、前記入出口側の端部に前記バッグと異なる色の蛍光剤を含浸させてなる着色部を設けてあり、前記バッグの前記筒状本体への組込み前の段階で、前記着色部により前記蛍光剤の存在を目視にて確認可能としたことを特徴とする。そして、本発明によれば、バッグに直接蛍光剤を含浸させるため、前記収容室が不要になると共に、目視で簡単に蛍光剤の存在を確認することができ、レシーバドライヤの下部に容易に組み付けることができる。
【発明の効果】
【００１１】
以上のように、本発明によれば、蛍光剤を液冷媒に確実に浸すことができ、冷媒の漏洩検知に関する信頼性を高めることができると共に、バッグへの蛍光剤の収容忘れを防止することのできるレシーバドライヤを提供することができる。
【図面の簡単な説明】
【００１２】
【図１】本発明にかかるレシーバドライヤの第１の実施形態を示す断面図であって、（ａ）はレシーバドライヤ全体を示し、（ｂ）はバッグのみを示す。
【図２】本発明にかかるレシーバドライヤの第２の実施形態を示す断面図であって、（ａ）はレシーバドライヤ全体を示し、（ｂ）はバッグのみを示す。
【図３】従来のレシーバドライヤの一例を示す全体断面図である。
【発明を実施するための形態】
【００１３】
次に、本発明を実施するための形態について図面を参照しながら説明する。
【００１４】
図１は、本発明にかかるレシーバドライヤの第１の実施形態を示し、このレシーバドライヤ１は、大別して、有蓋円筒状の本体２と、本体２の下端に装着され、冷媒入口穴３ａ及び冷媒出口穴３ｂを有するヘッダ３と、本体２の内部に封入される袋状のバッグ４と、冷媒出口穴３ｂを覆うようにヘッダ３に固定されるストレーナ６等で構成される。
【００１５】
バッグ４は、冷媒中の水分を吸着除去するための乾燥剤５を内包すると共に、このバッグ４の下部には、収容室４ａが設けられ、収容室４ａ内に蛍光剤７が収容される。蛍光剤７は、バッグ４を外部から手で触ることによって存在を確認できるような態様で設けられる。例えば、適度の剛性を有する板、粒、ペレット、ビーズ、粉、ペースト状等、様々な形状に形成することができる。
【００１６】
バッグ４は、例えば、プラスチック製の不織布を折り畳んで袋状に縫合した構造を有する。図１において破線で示したのが縫い代であり、縫い糸によって縫合したり、超音波溶着等で接合することもできる。
【００１７】
レシーバドライヤ１の組立てに際しては、まず、袋状に縫合した不織布等に乾燥剤５及び蛍光剤７を収容し、縫い糸で縫合して乾燥剤５及び蛍光剤７を備えたバッグ４を形成する。次に、開口部を上に向けて本体２を支持し、その内部にバッグ４を収容する。この際、蛍光剤７を収容した収容室４ａ側とは反対側の端部からバッグ４を本体２に挿入する。最後に、ストレーナ６をかしめ固定したヘッダ３と本体２とを、係合部９をアーク溶接して接合し、レシーバドライヤ１を完成させる。
【００１８】
その後、使用時又は設置時において、レシーバドライヤ１の上下を反転させると、バッグ４は、自由落下により下降し、ヘッダ３の天井部に載置され、図１（ａ）に示す状態となる。
【００１９】
上記構成を有するレシーバドライヤ１を自動車用の空調機器等に設けることで、冷媒入口穴３ａから本体２の内部に流入した冷媒中の水分をバッグ４に収容した乾燥剤５によって吸収するとともに、ストレーナ６によって異物を除去する。また、冷媒がレシーバドライヤ１の本体２の内部を通過すると、本体２の内部の下部に貯留された液冷媒Ｃに蛍光剤７が接触し、蛍光剤７が冷媒に同伴して冷媒配管内を循環し、冷媒が漏洩した際には、同時に漏洩した蛍光剤７を目視することで、冷媒の漏洩を検知することができる。
【００２０】
以上のように、本実施の形態では、バッグ４の下部に蛍光剤７を設けたため、使用時に蛍光剤７を液冷媒Ｃに確実に接触させ、冷媒に同伴させることができるため、冷媒の漏洩検知に関する信頼性を高めることができる。
【００２１】
また、バッグ４の下部に収容室４ａを形成し、蛍光剤７を収容したため、バッグ４の上から収容室４ａの部分を手で触れると蛍光剤７の存在を容易に確認することができる。さらに、収容室４ａの存在により、蛍光剤７の収容位置が明確となるため、バッグ４の挿入方向を誤って本体２に挿入することを防止することもできる。
【００２２】
次に、本発明にかかるレシーバドライヤの第２の実施形態について、図２を参照しながら説明する。このレシーバドライヤ１１の基本構成は、上記第１の実施形態におけるレシーバドライヤ１と同様であるため、レシーバドライヤ１と同様の構成要素については、同一の参照番号を付して詳細説明を省略する。
【００２３】
このレシーバドライヤ１１は、大別して、有蓋円筒状の本体２と、本体２の下端に装着され、冷媒入口穴３ａ及び冷媒出口穴３ｂを有するヘッダ３と、本体２の内部に封入される袋状のバッグ１４と、冷媒出口穴３ｂを覆うようにヘッダ３に固定されるストレーナ６等で構成される。
【００２４】
バッグ１４は、プラスチック製の不織布を折り畳んで袋状に縫合した構造を有し、冷媒中の水分を吸着除去するための乾燥剤５を内包すると共に、下部１４ａに直接蛍光剤１７を含浸させている。なお、蛍光剤１７の色はバッグ１４の色と異っている。図２において破線で示したのがバッグ１４の縫い代であり、縫い糸によって縫合したり、超音波溶着等で接合することもできる。
【００２５】
レシーバドライヤ１１の組立てに際しては、まず、袋状に縫合した不織布等に乾燥剤５を収容し、縫い糸で縫合して乾燥剤５を備えたバッグ１４を形成し、下部１４ａに蛍光剤１７を含浸させる。次に、開口部を上に向けて本体２を支持し、その内部にバッグ１４を収容する。この際、蛍光剤１７を含浸させた側とは反対側の端部からバッグ１４を本体２に挿入する。最後に、ストレーナ６をかしめ固定したヘッダ３と本体２とを、係合部９をアーク溶接して接合し、レシーバドライヤ１１を完成させる。
【００２６】
その後、使用時又は設置時において、レシーバドライヤ１１の上下を反転させると、バッグ１４は、自由落下により下降し、ヘッダ３の天井部に載置され、図２（ａ）に示す状態となる。
【００２７】
上記構成を有するレシーバドライヤ１１についても、自動車用の空調機器等に設けることで、冷媒入口穴３ａから本体２の内部に流入した冷媒中の水分をバッグ１４に収容した乾燥剤５によって吸収するとともに、ストレーナ６によって異物を除去する。また、冷媒がレシーバドライヤ１１の本体２の内部を通過すると、本体２の内部の下部に貯留された液冷媒Ｃに蛍光剤１７が接触し、蛍光剤１７が冷媒に同伴して冷媒配管内を循環し、冷媒が漏洩した際には、同時に漏洩した蛍光剤１７を目視することで、冷媒の漏洩を検知することができる。
【００２８】
以上のように、本実施の形態では、バッグ１４の下部に蛍光剤１７を設けたため、使用時に蛍光剤１７を液冷媒Ｃに確実に接触させ、冷媒に同伴させることができるため、冷媒の漏洩検知に関する信頼性を高めることができる。
【００２９】
また、バッグ１４の下部１４ａにバッグ１４と異なる色の蛍光剤１７を含浸させたため、目視により蛍光剤１７の存在を容易に確認することができると共に、収容位置が明確となるため、バッグ１４の挿入方向を誤って本体２に挿入することを防止することもできる。
【００３０】
さらに、本実施の形態では、第１の実施形態におけるバッグ４の収容室４ａも不要になり、バッグ１４の製造コストの低減にも繋がる。
【符号の説明】
【００３１】
１  レシーバドライヤ
２  本体
３  ヘッダ
４  バッグ
４ａ  収容室
５  乾燥剤
６  ストレーナ
７  蛍光剤
９  係合部
１１  レシーバドライヤ
１４  バッグ
１４ａ  下部
１７  蛍光剤
【図１】
0005715864.tif 000002
【図２】
0005715864.tif 000003
【図３】
0005715864.tif 000004